(57)【要約】【課題】スリッパ等の履物の有無を検知して徘徊防止或いは外出防止等のため利用できる履物検知用台を提供する。【解決手段】設置台３と、該設置台３に昇降自在に設けられた履物５の載置部６と、設置台３に設けられ載置部６に応動するスイッチ16と、該スイッチ16に接続される報知装置18とを備える。ベッド１の脇で、載置部６上の履物５の有無を検知すると共に、履物５が載置部６よりなくなった状態で報知装置18を作動させる。被看視者が履物５を手に取った後、履いて離床したことを報知装置18によって確実に報知することができる【選択図】図１
0003126879.tif 000002
【実用新案登録請求の範囲】
【請求項１】
設置台と、該設置台に昇降自在に設けられた履物の載置部と、前記設置台又は前記載置部に設けられ前記載置部に応動するスイッチと、該スイッチに接続される報知装置とを備えたことを特徴とする履物検知用台。
【請求項２】
前記設置台と前記載置部との間に、該載置部を上方へ付勢する弾性体を介在すると共に、前記載置部に一側を接続した伝達部の他側を前記スイッチに接続したことを特徴とする請求項１記載の履物検知用台。
【請求項３】
前記載置部は前部が後部より上方になるように前記設置台上に斜め上向きに配置された板状であることを特徴とする請求項１又は２記載の履物検知用台。
【請求項４】
前記設置台は、前面又は後面を下向きとして自立可能な形状に形成されると共に、前記載置部上に空隙を介して履物保持用カバーを設けたことを特徴とする請求項１〜３のいずれか１項に記載の履物検知用台。
【請求項５】
前記設置台に、吊り下げ部材を接続すると共に、前記載置部上に空隙を介して履物保持用カバーを設けたことを特徴とする請求項１〜３のいずれか１項に記載の履物検知用台。
【請求項６】
前記載置部が左右一対に設けられると共に、これら載置部に前記スイッチが応動することを特徴とする請求項１〜５のいずれか１項に記載の履物検知用台。
【請求項７】
前記載置部の上面には履物表示部を設けたことを特徴とする請求項１〜６のいずれか１項に記載に記載の履物検知用台。
【考案の詳細な説明】
【技術分野】
【０００１】
本考案は、徘徊或いは外出などを履物の有無によって検知して、この検知を報知手段等に出力して徘徊防止或いは外出防止等のための履物検知用台に関する。
【背景技術】
【０００２】
従来、ベッドの脇の床に置いて離床を検知するものとして、マット状スイッチが知られてる。このマットスイッチは、マット本体にスイッチが内蔵されているものであり、マット本体を踏むとスイッチが作動して離床を検知して、これを報知手段等に出力して徘徊防止などに役立てていた（例えば、特許文献１、２）。
【特許文献１】特開平１１−２１３２６６号公報
【特許文献２】特開２００５−１５２６１６号公報
【考案の開示】
【考案が解決しようとする課題】
【０００３】
しかし、従来技術ではスイッチマットを踏まず離床して徘徊を始めるようなおそれがある。
【０００４】
ところで、室内を歩行するとき、特に板敷きのフローリングの場合には、スリッパを履いて歩行することが多く、このようなスリッパは長年使用されて、習慣化されている。したがって、例えば痴呆の人であっても離床するときには、習慣としてスリッパを履いて歩行することが多い。
【０００５】
解決しようとする問題点は、スリッパ等の履物の有無を検知して徘徊防止或いは外出防止等のため利用できる履物検知用台を提供する点である。
【課題を解決するための手段】
【０００６】
請求項１の考案は、設置台と、該設置台に昇降自在に設けられた履物の載置部と、前記設置台又は前記載置部に設けられ前記載置部に応動するスイッチと、該スイッチに接続される報知装置とを備えたことを特徴とする履物検知用台である。
【０００７】
請求項２の考案は、前記設置台と前記載置部との間に、該載置部を上方へ付勢する弾性体を介在すると共に、前記載置部に一側を接続した伝達部の他側を前記スイッチに接続したことを特徴とする請求項１記載の履物検知用台である。
【０００８】
請求項３の考案は、前記載置部は前部が後部より上方になるように前記設置台上に斜め上向きに配置された板状であることを特徴とする請求項１又は２記載の履物検知用台である。
【０００９】
請求項４の考案においては、前面又は後面を下向きとして自立可能な形状に形成されると共に、前記載置部上に空隙を介して履物保持用カバーを設けたことを特徴とする請求項１〜３のいずれか１項に記載の履物検知用台である。
【００１０】
請求項５の考案は、前記設置台に、吊り下げ部材を接続すると共に、前記載置部上に空隙を介して履物保持用カバーを設けたことを特徴とする請求項１〜３のいずれか１項に記載の履物検知用台である。
【００１１】
請求項６の考案は、前記載置部が左右一対に設けられると共に、これら載置部に前記スイッチがそれぞれ応動することを特徴とする請求項１〜５のいずれか１項に記載の履物検知用台である。
【００１２】
請求項７の考案は、前記載置部の上面には履物表示部を設けたことを特徴とする請求項１〜６のいずれか１項に記載に記載の履物検知用台である。
【考案の効果】
【００１３】
請求項１の考案によれば、履物の有無を検知すると共に、履物が載置部よりなくなった状態で報知装置を作動させることにより、被看視者が履物を履いて移動したことを確実に報知することができる。
【００１４】
請求項２の考案によれば、履物の重量で載置部は弾性体に抗して降下し、一方履物が載置部になくなると上方へ付勢する弾性体の弾性に従って載置部は上昇して、履物の有無を確実に検知することができる。
【００１５】
請求項３の考案によれば、載置部に載置された履物は斜め向きとなり、履物を手で持ち上げたり、履物を手で載置部に下ろしたりすることを比較的容易に行うことができる。
【００１６】
請求項４の考案によれば、縦向きの空隙に履物を立てて収納することができるので、床１Ａまで手を伸ばさなくとも履物を手で扱うことができる。
【００１７】
請求項５の考案によれば、設置台を吊り下げ、そして空隙に履物を出し入れ可能に収納することができる。
【００１８】
請求項６の考案によれば、履物のいずれか一方を載置部のいずれか一方に載置することで直ちにスイッチを作動せしめることができる。
【００１９】
請求項７の考案によれば、履物を置くとき、履物表示部におけば確実に載置部に載置することができる。
【考案を実施するための最良の形態】
【００２０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２１】
図は実施例１を示しており、ベッド１の脇の床１Ａ上に設置される履物検知用台２は、床１Ａに直接接地する設置台３の上面４に、履物５であるスリッパを載置する履物５の載置部６を設けている。設置台３は、上面４の四方に該上面４を支持するための前面７Ａ，該前面７Ａと平行に対向する後面７Ｂと、これら前面７Ａと後面７Ｂとの間に介在する左右一対の側面７Ｃ，７Ｄが設けられたほぼ角型の箱形状をなしており、その上面４は平面状であって、前側８は後側９よりも高く配置されるように傾斜して形成されている。そして、前面７Ａを下向きとして接地したときに設置台３は自立できるような箱型形状に形成されている。同様に後面７Ｂを下向きとして接地したときに設置台３が自立できるような箱型形状に形成してもよい。尚、７Ｅは設置台３の底板である。上面４上に設けられる載置部６は、該上面４のほぼ半分の幅の大きさを有する金属製、合成樹脂製等の板状の左右一対の載置本体部10，10Ａからなり、その上面に上面４と同じ大きさの布製のマット11を載置している。載置本体部10，10Ａの後側10Ｂは設置台３の後側９に固定金具12を介して載置本体部10，10Ａはその弾性によって回動自在に連結しており、このため、上面４、ひいては設置台３に対して載置部６である載置本体部10，10Ａの前側10Ｆは相対的に昇降自在に設けられている。また、載置本体部10，10Ａは上面４に沿うように配置されるため、載置部６は後側10Ｂより前側10Ｆが上方になるように斜め上向きに配置される。
【００２２】
そして、設置台３と載置部６との間に、該載置部６をやや持ち上げるように上方へ付勢するコイルバネやクッション材等の弾性体13が介在している。これにより載置部６に履物５が載置すると該載置部６は弾性体13に抗して重力によって固定金具12を介して下方にやや移動して上面４に近づき、一方履物５を取り除くと載置部６は固定金具12を介して弾性体13に従って上方にやや移動して上面４より離れるようになっている。尚、マット11の上面にはスリッパの平面輪郭を描いた履物５の定位置を示す履物表示部14が設けられている。
【００２３】
さらに、設置台３に載置本体部10，10Ａの昇降に応動するスイッチ16がそれぞれ設けられる。このスイッチ16は実施例では上面４の裏側に固定されているリミットスイッチ16によって形成されており、載置部６と一体的に設けられ載置部６と一体的に作動する伝達部17が、リミットスイッチ16のアクチュエータ等とも称せられる作動部16Ｂに接続している。伝達部17は軸状であって、一側たる上部17Ａを載置部６に接続され中間は上面４を昇降自在に貫通し、そして他側たる下部17Ｂが作動部16Ｂに接続している。さらに、スイッチ16の端子16Ａに報知装置18が有線又は無線で接続されている。この報知装置18は、前記端子16Ａ側が接続する入力部19と、この入力部19に接続された制御回路20と、この制御回路20に接続される出力部21と、この出力部21に接続されるスピーカ、ブザー等の発音装置、ランプ、ＬＥＤ等の発光装置、或いは振動板等の振動装置のような人に報知させることができる報知部22を接続している。23は制御回路20に接続した電源装置である。実施例では有線の場合を示しており、リミットスイッチ16と入力部19を接続する電気コード24の途中に操作用スイッチ25が介在している。尚、スイッチ16は載置部６側に設けてもよい。
【００２４】
さらに、載置部６の前側10Ｆには、履物５の前側を挿入したとき該履物５の前側を載置部６と共に覆って履物５が載置部６より抜け落ちない空隙26を形成するための履物保持用カバー27が設けられている。この履物保持用カバー27は、その左右縁に設けた止着具28を、側面７Ｃ，７Ｄに設けた止着受け具28Ａに止着することで、着脱自在に設けられている。
【００２５】
また、後面７Ｂには紐のような吊り下げ部材29を接続している。実施例では吊り下げ部材29に長さ調節具30が設けられている。尚、図１ではスイッチ16は１個のみ図示されているが、載置本体部10Ａにも対応してスイッチスイッチからや操作用スイッチ25に至る電気コードが接続されている。
【００２６】
次に前記構成についてその作用を説明する。図３に示すように、底面７Ｅを床１Ａに接地した状態で、予めベッド１に被看視者が伏しているときは、載置部６には履物５が載置されており、このため図１で示す履物５の重量により図１の実線で示すように載置部６は弾性体13の弾性力に抗し下降して上面４に近づいており、したがって、伝達部17が降下して作動部16Ｂを下方に押し下げている。この状態ではスイッチ16は開成状態であり、したがって、報知装置18への出力はなく報知部22は作動しない。
【００２７】
一方、伏していた被看視者が起き上がり離床するときには、載置部６にある履物５を手で取り上げて床１Ａに置いて履物５を履く。このときには、マット11には履物５がなくなるので、図１の矢印で示すように履物５の重量が解除された載置部６は弾性体13の弾性力に従って上降して上面４より離れ、したがって、伝達部17は上昇して作動部16Ｂへの押し下げを解除する。この状態ではスイッチ16は閉成状態となり、したがって、この信号が有線又は無線によって入力部19に入力し、そして制御回路20を介して出力部21に出力され、さらに有線又は無線によって報知部22を作動する。この作動によって看視者（図示せず）は被看視者が履物５を履いて離床したことを、音、光、或いは振動によって把握することができる。これにより、被看視者の行動を看視者は他の場所にいても確実に把握することができる。尚、この状態ではスイッチ16は閉成状態を維持するので、看視者は被看視者の安全を確認したときに操作用スイッチ25を操作して報知装置18をリセットする。
【００２８】
そして、被看視者がベッド１に戻り、履物表示部14に履物５を置いて載置部６に載置すると、図１の実線に示すように履物５の重量により載置部６は弾性体13の弾性力に抗し下降しスイッチ16は開成状態となって、次の報知に備える。
【００２９】
また、図４のようにベッドの脇に、前面７Ａを床１Ａに接地させて自立させたときには、履物保持用カバー27が取り付けられており、載置部６と履物保持用カバー27との空隙26に履物を挿入することで、載置部６、ひいては載置本体部10，10Ａが弾性体13にそれぞれ抗して降下してリミットスイッチ16を作動して開成する。一方、履物を空隙26より取り出すと、載置本体部10，10Ａが弾性体13によって押し上げられてリミットスイッチ16を作動して閉成し、報知装置18を作動させることができる。
【００３０】
さらに、図５のように、前面７Ａを下向きとして後面７Ｂに接続された吊り下げ部材29をベッドの脇に設けたフック（図示せず）等に引っ掛けて吊り下げ状態とするときには、履物保持用カバー27が取り付けられており、載置部６と履物保持用カバー27との空隙26に履物を挿入することで、載置部６、ひいては載置本体部10，10Ａが弾性体13にそれぞれ抗して降下してリミットスイッチ16を作動して開成する。一方、履物５を空隙26より取り出すと、載置本体部10，10Ａが弾性体13によって押し上げられてリミットスイッチ16を作動して閉成し、報知装置18を作動させることができる。
【００３１】
以上のように、前記実施例では請求項１に対応して、設置台３と、該設置台３に昇降自在に設けられた履物５の載置部６と、設置台３に設けられ載置部６に応動するスイッチ16と、該スイッチ16に接続される報知装置18とを備えたことにより、ベッド１の脇で載置部６に揃えている履物５の有無を検知すると共に、履物５が載置部６よりなくなった状態で報知装置18を作動させることにより、被看視者が履物５を履いて離床したことを確実に報知することができる。
【００３２】
前記実施例では請求項２に対応して、設置台３と載置部６との間に、載置部６を上方へ付勢する弾性体13を介在すると共に、載置部６に一側たる上部17Ａを接続した伝達部17の他側たる下部17Ｂをスイッチ16に接続したことにより、履物５が載置部６にあると履物５の重量で載置部６は弾性体に抗して降下し、一方履物５が載置部６になくなると上方へ付勢する弾性体の弾性に従って載置部６は上昇し、このような載置部６の昇降を検知することで、履物５の有無を確実に検知することができる。
【００３３】
前記実施例では請求項３に対応して、載置部６は前部10Ｆが後部10Ｂより上方になるように前記設置台３上に斜め上向きに配置された板状であるので、載置部６に載置された履物５は斜め向きとなり、履物５はつま先上がり状態等となり、履物５を手で持ち上げたり、履物５を手で載置部６に下ろしたりすることを比較的容易に行うことができる。
【００３４】
前記実施例では請求項４に対応して、設置台３は、前面７Ａを下向きとして自立可能な箱型形状に形成されると共に、前記載置部６上に空隙26を介して履物保持用カバー27を設けたことにより、縦向きの空隙26に履物５を立てて収納することができるので、床１Ａまで手を伸ばさなくとも履物５を手で扱うことができる。
【００３５】
前記実施例では請求項５に対応して、設置台３に吊り下げ部材29を接続すると共に、載置部６上に空隙26を介して履物保持用カバー27を設けたことにより、所望箇所に吊り下げ部材29を介して設置台３を吊り下げ、そして空隙26に履物５を収納することができるので、ベッドの床１Ａ周りに設置しなくとも済み、床１Ａを広く使用することができる。
【００３６】
前記実施例では請求項６に対応して、載置部６は左右一対の載置本体部10，10Ａにより設けられると共に、これら載置本体部10，10Ａにスイッチ16がそれぞれ応動することにより、履物５のいずれか一方を載置本体部10，10Ａのいずれか一方に載置することで直ちにスイッチ16を作動せしめてベッドからの離床などを報知することができる。
【００３７】
前記実施例では請求項７に対応して、載置部６の上面４には履物表示部14を設けたことにより、被看視者がベッド１に戻り、履物５を置くとき、履物表示部14におけば確実に載置部６に載置することができるので、他の場所に履物５を置くようなことを防止することができる。
【産業上の利用可能性】
【００３８】
以上のように本考案にかかる履物検知用台は、大人用或いは子供用など各種の用途に適用できる。
【図面の簡単な説明】
【００３９】
【図１】本考案の実施例１を示す断面図である。
【図２】同分解斜視図である。
【図３】同床に置いた状態の斜視図である。
【図４】同床に自立した状態の斜視図である。
【図５】同吊り下げた状態の斜視図である。
【符号の説明】
【００４０】
３  設置台
５  履物
７Ａ  前面
８  前側
９  後側
10，10Ａ  載置本体部（載置部６）
10Ｂ  後側
10Ｆ  前側
13  弾性体
14  履物表示部
16  スイッチ
18  報知装置
26  空隙
27  履物保持用カバー
29  吊り下げ部材
【図１】
0003126879.tif 000003
【図２】
0003126879.tif 000004
【図３】
0003126879.tif 000005
【図４】
0003126879.tif 000006
【図５】
0003126879.tif 000007